(57)【要約】【課題】従来の射精促進装置には、射精促進に有効である視覚や聴覚への刺激を付与できる機構が十分に無く、射精促進に必要な刺激という点で限界があった。また、操作する際に使用者の腕に負担がかかり疲労し易いという問題があった。このような問題を一挙に解決して円滑に目的を達成することができる射精促進装置用器具を提供する。【解決手段】射精促進装置を着脱自在に保持するホルダ３，４を有したベース台座２と、射精促進に有効な映像を表示するための映像表示装置８若しくは映像表示装置を設置することを目的とした機構を備えている。【選択図】図１
2014064656.tif 000002
【特許請求の範囲】
【請求項１】
射精促進装置を着脱自在に保持するホルダを有したベース台座に、映像表示装置を備える、若しくは映像表示装置を設置することを目的とした機構を備えていることを特徴とする射精促進装置用器具
【請求項２】
前記ベース台座は、下面が定置に適した形状であることを特徴とする請求項１に記載の射精促進装置用器具。
【請求項３】
前記ベース台座は、上面に映像表示装置、あるいは映像表示装置を設置することを目的とした機構を備えていることを特徴とする請求項１又は２に記載の射精促進装置用器具。
【請求項４】
前記射精促進装置は、一端が開口した筒状容器と、該筒状容器内に収容されて一端面の挿入口から内部に延びる挿入空所を有したゲル状樹脂製のコア部材と、を少なくとも備えていることを特徴とする請求項１乃至３の何れか一項に記載の射精促進装置用器具。
【請求項５】
請求項１乃至４の何れか一項に記載の射精促進装置用器具を構成する前記ホルダに射精促進装置を装着したことを特徴とする射精促進装置ユニット。
【発明の詳細な説明】
【技術分野】
【０００１】
本発明は射精促進装置用器具に関し、特に医学的な研究、治療のための要請や、性犯罪防止、買春防止、及び性病の蔓延防止等の社会的な要請に基づいて従来から使用されてきた射精促進装置の改良と使用方法の改善に関するものである。
【背景技術】
【０００２】
医学的な研究や治療上の必要から、男性の精子を採取するための射精促進装置（精子採取装置）が種々提案されている。例えば、夫婦間の不妊の原因を究明するために採取した精子から夫の性機能を検査したり、性機能障害を治療したり、人工授精のために精子を確保、保管する等の医学的な必要性のために射精促進装置が使用される。更に、個人的な性的欲求を解消させることによる性犯罪の予防、買春防止、性感染症者数の減少等の種々の社会的なニーズを満たすためにも、従来から低廉に入手することができ、しかも使い捨てタイプであるために衛生上、健康上の問題も惹起しない簡易な射精促進装置が知られている。
例えば、実用新案登録第３０７６６２７号には、円筒状の容器本体内に、内部に深い凹部空間を有するゲル状の合成樹脂製（スチレン系熱可塑性エラストマー）の内装材を設け、当該内装材の内側には凹部空間へ突出した複数の小突起及び、襞状部を設けると共に、上記内装材の周囲を覆う状態に、ウレタン樹脂からなる外装材を設けた精子採取器が提案されている。
この射精促進装置（精子採取装置）を操作する際は、容器本体の一端にある開口部からスポンジ蓋を経由して内装材内部にペニスを挿入し、その状態で容器本体を把持してペニス摺擦のための往復操作を行うように構成されている。
【０００３】
しかし、上記従来の射精促進装置は、操作の際に射精促進装置が視野に入り、その状況を使用者が認識することにより精神的に違和感が生じ射精にまで至らないことが多くある。つまり射精促進装置に射精促進に有効な視覚や聴覚への刺激を付与できる機構が十分に無く、射精促進に必要な十分な刺激という点で限界があった。
また、操作の際に容器本体外面を片手で把持して前後方向に往復動させる必要があったため、利用者の腕に負担がかかり疲労し易いという問題があった。
【先行技術文献】
【特許文献】
【０００４】
【特許文献１】実用新案登録第３０７６６２７号
【特許文献２】特許４５９４１７２
【特許文献３】特許４６９１３９８
【特許文献４】特許４７０３２７６
【特許文献５】特許４８７８３４６
【発明の概要】
【発明が解決しようとする課題】
【０００５】
以上のように従来の射精促進装置は、使用者が存在を認識することによって違和感が生じ、射精に至らないという問題があった、また射精促進に有効な視覚や聴覚への刺激を付与できる機構が十分に無く、射精促進に必要な刺激という点で限界があった。
また、操作の際に容器本体外面を片手で把持して前後方向に往復動作させる必要があったため、使用者の腕に負担がかかり疲労し易いという問題があった。
本発明は上記に鑑みてなされたものであり、射精促進装置を使用者の視野に入れないようにし、射精促進の為に有効な、視覚や聴覚への刺激十分に付与できる機構を備え、さらに使用者の腕に負担がかかり疲労し易いという問題を一挙に解決して円滑に射精を促進できる射精促進装置用器具を提供することを目的としている。
【課題を解決するための手段】
【０００６】
上記目的を達成するため、請求項１の発明は、射精促進装置を着脱自在に保持するホルダを有したベース台座に、射精促進に有効な映像を表示するための映像表示装置、若しくは映像表示装置を設置することを目的とした機構を備えていることを特徴とする。
請求項２の発明は、請求項１において、前記ベース台座は、下面が定置に適した形状であることを特徴とする。
請求項３の発明は、請求項１又は２において、前記ベース台座は、上面に映像表示装置、あるいは映像表示装置を設置することを目的とした機構を備えていることを特徴とする。
請求項４の発明は、請求項１乃至３の何れか一項において、前記射精促進装置は、一端が開口した筒状容器と、該筒状容器内に収容されて一端面の挿入口から内部に延びる挿入空所を有したゲル状樹脂製のコア部材と、を少なくとも備えていることを特徴とする。
請求項５の発明は、請求項１乃至４の何れか一項において、射精促進装置用器具を構成する前記ホルダに射精促進装置を装着したことを特徴とする。
【発明の効果】
【０００７】
本発明によれば、設置された映像表示装置によって射精促進装置を使用中に射精促進に有効な映像を視聴することができるため、視覚や聴覚へ十分な刺激が送られ、使用目的を確実に達成することが可能となる。
また、射精促進装置はベース台座に取り付けられたホルダに装着することにより、使用者の視野に入らず、精神的な違和感がなくなる。
更に、射精促進装置をベース台座に取り付けられたホルダに固定できるため、腰を前後に往復動させる動作での使用が可能となり、腕にかかる負担を軽減し、ペニスに対する刺激を高めることで射精を促進することが可能となる。
しかも、この射精促進装置用器具は、射精促進装置を交換することにより多数回の使用が可能である。
【図面の簡単な説明】
【０００８】
【図１】本発明の一実施形態を示す斜視図である。
【図２】図１の反対側からみた斜視図である。
【図３】本発明の変形実施形態を示す斜視図である。
【図４】本発明の変形実施形態を示す斜視図である。
【図５】（ａ）及び（ｂ）はホルダ部材の外観斜視図、及び射精促進装置装着時の縦断面図である。
【図６】（ａ）及び（ｂ）は本発明によって保持される射精促進装置の正面図、及び断面図である。
【発明を実施するための形態】
【０００９】
以下、本発明を図面に示した実施形態により詳細に説明する。
図１及び図２は本発明の一実施形態に係る射精促進装置用器具の構成を示す斜視図である。
この射精促進装置用器具１は、長方体のベース台座２と、ベース台座２の側面に設けた2か所の開口からその内部に後述する射精促進装置３０を着脱自在に保持するホルダ３，４と、上面に設置された映像表示装置８から概略構成されている。
【００１０】
ベース台座２は皮革、柔軟性シート材、布等により中空状に形成されており充填されて膨らんだ状態で長方体の形状となす。
内部には発泡体や綿、布、合成樹脂等の分散体や一体成型になったブロック体の適宜素材で形成された芯材（図示せず）が充填されている。
ベース台座２の側面には２か所のホルダ３，４が設けられ、上面の映像表示装置８に表示される映像の向きに合わせてホルダ３，４のどちらかに射精促進装置を挿入し装着して使用する。
ベース台座２の側面には持ち手５，６，７が形成されている。ホルダ４に射精促進装置を装着して使用する際に、使用者が姿勢を保つための持ち手５．６を使用でき、ホルダ３に射精促進装置を装着して使用する際には持ち手５，７が使用できる。
【００１１】
映像表示装置８は、映像表示画面１１とスピーカー９，１０からなり、一般的な液晶テレビ等と同じ機能を有している。情報再生装置接続コード１３をブルーレイ・DVDレコーダー、パソコン等の情報再生装置に接続することにより、射精促進に有効な映像を映像表示画面１１に表示することができる。映像表示装置８をベース台座２の上面に設置することにより、ホルダ４、またはホルダ３に射精促進装置を装着して使用している最中に映像を視聴することが可能となり視覚や聴覚へ十分な刺激が与えられる。
【００１２】
次に、図３は本発明の変形実施形態を示す斜視図である。
この映像表示装置のない形態では、市販の薄型テレビやパソコン、タブレット端末等の映像表示装置を、上面にある映像表示装置設置台１９に設置することが可能となる。その際、映像表示装置の保護、滑り止め、放熱の目的のためにゴムや樹脂素材等で形成された映像表示装置支持部２０が備えてある。
そのため、本発明の不使用時には、映像表示装置を本来の使用目的であるテレビ、パソコン、通信機器等として使用することが可能となる。
また、ベース台座２を空気を充填することによって膨らむエアマットのような構造にし、不使用時には、内部の空気を抜くことにより、小さく収納できるようにしても良い。
若しくは、ベース台座２を布団や衣類等を充填することによって膨らむ収納袋のような構造にし、不使用時には、そのまま収納袋として使用するか、内容物を取り除き小さく収納できるようにしても良い。
【００１３】
次に、図４は本発明の変形実施形態を示す斜視図である。
ベース台座２の下部に高さを自在に調整できる脚１５，１６，１７，１８をつけたもので、これによって、使用する腰の高さへ、本器具を調節することが可能となる。なお、脚ではなく台等の高さが調節できるものを設けても良い。
【００１４】
図５（ａ）（ｂ）に示されるようにホルダ３，４には射精促進装置３０を安定して保持するためのスポンジ材３ｂ、４ｂと、開口部に脱着してこれを開閉するキャップ３ａ、４ａがあり、キャップには閉じた状態でも射精促進装置３０の挿入口４１が露出するように開口部が設けられている。
その際、射精促進装置３０が抜け落ちないように射精促進装置３０の外周面に周方向へ延びる係止突起３０ａが形成されている。
なお、ホルダ内周面側に周方向へ延びる係止溝または係止突起を、射精促進装置側の外周面に係止突起または周方向へ延びる係止溝を設け、嵌合させることにより射精促進装置の位置決めを行うと共に、装着方向への抜け落ちを防止しても良い。
【００１５】
次に、図６（ａ）（ｂ）に示した正面図、及び断面図に基づいて本発明のホルダ３，４によって保持される射精促進装置についてその概要を説明する。
この射精促進装置３０は、長手方向一端面が開口した非円筒状の容器本体３１、及び容器本体３１の開口部３１ａに脱着してこれを開閉するキャップ３２と、容器本体３１内に収容され、長手方向一端面の挿入口４１から内部に延びる挿入空所４２を有したゲル状樹脂製のコア部材４０と、を備えている。コア部材４０と容器本体内壁との間には必要に応じてスポンジ層を配置する。
コア部材４０は、エラストマーのような粘性を有したゲル状の樹脂、或いはゲル状のゴム等から構成された袋状体であり、その挿入側端部を容器本体３１の開口部３１ａの内周に固定する。挿入空所４２内には任意の配置にて突起、襞等が形成されている。挿入空所４２内には潤滑液としてのローション等を適量予め充填しておく。
【００１６】
キャップ３２を取り外すことによって露出させた挿入口４１内にペニスを挿入し、挿入方向へ往復動させることにより挿入空所４２の内壁とペニスを摺擦させて射精を促進することができる。
キャップ３２を取り外した射精促進装置３０を図１等に示すようにベース台座２のホルダ３，４に装着することにより、実際の性行の動作のようにペニスを挿入して腰を前後に往復動させる使用方法が可能となり、より刺激を高めて目的を確実に達成することが可能となる。
【００１７】
射精促進装置用器具に射精促進装置を装着することにより精子採取装置ユニットが形成される。
【符号の説明】
【００１８】
１  射精促進装置用器具
２  ベース台座
３  ホルダ  
４  ホルダ
５  持ち手
６  持ち手
７  持ち手
８  映像表示装置
９  スピーカー
１０  スピーカー
１１  映像表示画面
１２  電源接続コード
１３  情報再生装置接続コード
１４  操作ボタン
１５  脚
１６  脚
１７  脚
１８  脚
１９  映像表示装置設置台
２０  映像表示装置支持部
３０  射精促進装置
３１  容器本体
３２  キャップ
４０  コア部材
４１  挿入口
４２  挿入空所
【図１】
2014064656.tif 000003
【図２】
2014064656.tif 000004
【図３】
2014064656.tif 000005
【図４】
2014064656.tif 000006
【図５】
2014064656.tif 000007
【図６】
2014064656.tif 000008